(57)【要約】【課題】日付枠内に画像を描画し、スケジュール機能に加えて広告宣伝機能や遊びの要素を備えた電子カレンダーを画面に表示させること。【解決手段】電子カレンダーのソフトウェアを実装した携帯端末１などが、所定の記憶手段（１２２或は２１）に格納してある画像データを取り出し、カレンダーの日付枠内に該画像を描画する画像描画手段１３１と、操作入力手段１１１を介したユーザの操作に従い或いは所定のシナリオに従い、日付枠内の描画の変更指示をする描画変更指示手段１３２と、を備える。各日付枠内に描画された画像が全体として１つの画像をなし、アニメーションのように変化させてもよいが、一部の日付枠内だけを描画変更してもよい。また、表示状態変更手段１３３を備え、日付枠内の表示を画像表示、スケジュール表示若しくは画像を背景としたスケジュール表示に切り替えてもよい。【選択図】図１
2015001767.tif 000002
【特許請求の範囲】
【請求項１】
記憶手段に格納してある画像データを取り出し、カレンダーの各日付枠内に該画像を描画する画像描画手段と、
操作入力手段を介したユーザの操作に従い或いは所定のシナリオに従い、各日付枠内の描画の変更指示をする描画変更指示手段と、
を備えることを特徴とする画像提示装置。
【請求項２】
各日付枠内に描画された画像が互いに関連性を有し、何らかのまとまりのある画像を構成することを特徴とする請求項１に記載の画像提示装置。
【請求項３】
前記描画変更指示手段は、一部の日付枠内の描画変更を指示することを特徴とする請求項１または２のいずれかに記載の画像提示装置。
【請求項４】
操作入力手段を介した操作により、日付枠内の表示を画像表示、スケジュール表示若しくは画像を背景としたスケジュール表示のいずれかを選択変更する表示状態変更手段を備えることを特徴とする請求項１〜３のいずれか１に記載の画像提示装置。
【請求項５】
通信回線を介して接続可能な画像管理装置から画像データを取得するデータ送受信手段を備えることを特徴とする請求項１〜４のいずれか１に記載の画像提示装置。
【請求項６】
画面出力手段と操作入力手段を備えたコンピュータが、
記憶手段に格納してある画像データを取り出し、カレンダーの各日付枠内に該画像を描画するステップと、
前記操作入力手段を介したユーザの操作に従い或いは所定のシナリオに従い、各日付枠内の描画の変更指示をするステップと、
を実行することを特徴とするカレンダーを利用した画像提示方法。
【請求項７】
画面出力手段と操作入力手段を備えたコンピュータに、
記憶手段に格納してある画像データを取り出し、カレンダーの各日付枠内に該画像を描画する機能と、
前記操作入力手段を介したユーザの操作に従い或いは所定のシナリオに従い、各日付枠内の描画の変更指示をする機能と、
を実現させることを特徴とするコンピュータプログラム。
【発明の詳細な説明】
【技術分野】
【０００１】
日付枠内に画像を描画し、スケジュール機能に加えて広告宣伝機能や遊びの要素を備えた電子カレンダーを画面に表示させる画像提示装置、方法およびプログラムに関する。
【背景技術】
【０００２】
パソコンや携帯端末（以下、「携帯端末等」）の普及とともに、紙のカレンダーや手帳に代えて電子カレンダーを用いてスケジュール管理を行う人が増えている。
日付欄が設けられ、該当する日付欄にスケジュールをテキスト入力する点は、従来の紙のカレンダーと同様である。
ただし電子カレンダーは携帯端末等に実装されていて、記憶手段や通信機能を使用できるという点で、紙のカレンダーと大きく異なる。特に通信機能の利用によりインターネット上で他者との情報の共有が可能となったことから、電子カレンダーの活躍の場が大きく広がった。例えば、本出願人による特許出願（特願２０１３−２８４９０）では、電子カレンダーを単なる個人のスケジュール管理機能にとどめず、イベントへの集客や仲間作りの手段として活用することを提案している。
本発明では視点を変えて、画面に表示される画像群の構成・レイアウトについて新しいアイデアを提案する。カレンダーは（言うまでもないことであるが）、縦と横に同形同大の矩形枠が配置されている。このレイアウトはスケジュール表示だけでなく、小画像を描画する背景枠としても活用することができる。例えば、特許文献１には、静止画データまたは動画データを日付単位で管理する場合に、カレンダー画面に、それぞれの日付で撮影された画像データを表示する「情報処理装置、画像表示方法およびコンピュータプログラム」が開示されている。
【先行技術文献】
【特許文献】
【０００３】
【特許文献１】特開２０１１−９７４４１号公報
【発明の概要】
【発明が解決しようとする課題】
【０００４】
携帯端末等の電子機器の長足の進歩によって、画像の取り扱いも格段に向上した。多くの画像を準備し瞬時に切り替えることが出来る。本発明ではこの機能に着目し、電子カレンダーの日付枠をキャンバスとして捉え、テキストだけでなく画像も描画し、しかもその画像群に全体としての意味・目的を持たせる、ことを考案する。
電子カレンダーは均一な形状（通常は長方形）と大きさの日付枠を複数備えているので、これらの各日付枠を画像描画の単位とすることができる。
特許文献１は、各日付枠に画像を表示させているが、この各枠内がいわば一つのキャンバスであって、この個々の枠を取り去った大きなキャンバスを想定してはいない。つまり、各画像は単にその日に撮影された画像であるというに過ぎないのである。本発明ではそのような制約を取り払い、全体でひとつのまとまりある画像を表示させたり、アニメーションのように変化させたりすることで面白みのある画像表示媒体としたり、広告宣伝手段としたりすることを提案する。
また、将棋、囲碁、オセロ、テトリス（登録商標）などのように升目を利用するゲームがあるが、カレンダーのレイアウトも一種の升目であり、ゲームへの利用も視野に入れる。
【課題を解決するための手段】
【０００５】
上記の目的を達成するために、請求項１に係る発明は、画像提示装置であって、
記憶手段に格納してある画像データを取り出し、カレンダーの各日付枠内に該画像を描画する画像描画手段と、
操作入力手段を介したユーザの操作に従い或いは所定のシナリオに従い、各日付枠内の描画の変更指示をする描画変更指示手段と、
を備えることを特徴とする。
「記憶手段」とは、該画像提示装置に内蔵あるいは外付けの記憶手段（メモリ、ハードディスクなど）でもよく、通信手段を介して接続可能なサーバと接続する記憶手段あるいはデータベースサーバなどでもよい。つまり該画像提示装置は、装置単体でも動作し、通信ネットワークを介して他の情報処理装置と連携して動作もする。
「画像データ」とは、画像そのもの（例：ビットマップファイル、ｇｉｆフォーマットのファイルなど）だけではなく、描画のためのシナリオなどの関連データも含む。
「カレンダー」は一般に、縦横に同一の形状と大きさをもつ日付枠が配置されている。カレンダーは通常月単位で表示され、大の月であれば３１個の日付枠を持つ。もし、週単位で表示するならば、７個の日付枠を持つ。
「シナリオ」とは、描画対象のファイル名、描画するタイミング・時間・移動量などを記述したものであり、シナリオが画像データに含まれているならば、ユーザの操作に寄らず自動的に描画される。このシナリオは記憶手段に登録しておき、実行時に記憶手段から読み出し、このシナリオに設定されている値にしたがい描画する。設定値には、例えば、特定の時刻になると特定の画像を表示させる場合のその時刻（例：毎時００分）、アニメーションのように画像を変化させる場合は、１種類の画像の表示時間（例：１／１０秒）などがある。このシナリオを多数用意しておけば、変化のある画像を楽しむことができる。
【０００６】
請求項２に係る発明は、請求項１に記載の画像提示装置であって、各日付枠内に描画された画像が互いに関連性を有し、何らかのまとまりのある画像を構成することを特徴とする。
これにより、カレンダー全体に機能を持たせて広告枠としたり、絵画の額縁としたりすることもできる。
【０００７】
請求項３に係る発明は、請求項１または２のいずれかに記載の画像提示装置であって、前記描画変更指示手段は、一部の日付枠内の描画変更を指示することを特徴とする。
これにより、表示される画像の変化を楽しむことができ、画面表示の表現力を一層高めることができる。
【０００８】
請求項４に係る発明は、請求項１〜３のいずれか１に記載の画像提示装置であって、操作入力手段を介した操作により、日付枠内の表示を画像表示、スケジュール表示若しくは画像を背景としたスケジュール表示のいずれかを選択変更する表示状態変更手段を備えることを特徴とする。
本発明は電子カレンダーに関するものであるから本来のスケジュール表示機能も持つことは当然であるが、それ以上に、スケジュール表示と画像表示とを切り替えたり、スケジュール表示の背景に画像を表示させたりなどをして、無味乾燥な従来のスケジュール表示に楽しさや美しさを加味することができるのである。
【０００９】
請求項５に係る発明は、請求項１〜４のいずれか１に記載の画像提示装置であって、通信回線を介して接続可能な画像管理装置から画像データを取得するデータ送受信手段を備えることを特徴とする。
このようにインターネットなどを介して他の情報処理装置に登録されている画像データを取得できる。これにより、自分のカレンダーに表示できる画像の種類を豊富にできる。なお、他の情報処理装置に自分の持っている画像データを送信することもできる。
【００１０】
請求項６に係る画像提示方法の発明、請求項７に係るコンピュータプログラムの発明も本発明の課題を解決するものである。
【図面の簡単な説明】
【００１１】
【図１】実施の形態に係るシステムの構成および画像提示装置の機能ブロック例を示す図である。
【図２】実施の形態に係る全体画像（ａ）および分割画像（ｂ）を例示する図である。
【図３】実施の形態に係るシナリオの記述例を示す図である。
【図４】実施の形態に係るカレンダーがスケジュールを表示している状態を示す図である。
【図５】実施の形態に係るカレンダーに表示するための画像を選択するメニュー画面を例示する図である。
【図６】実施の形態に係るカレンダーの各日付枠に表示される図２に示す分割画像が、（ａ）→（ｂ）と変化していく図である。
【図７】実施の形態に係る一つの日付枠の描画領域を示す図である。
【図８】実施の形態に係るカレンダーの表示状態変更を説明する図である。
【図９】実施の形態に係るカレンダーの一部の日付枠の表示状態変更を説明する図である。
【図１０】実施の形態に係る日付枠の描画変更をゲームに利用する例を説明する図である。
【図１１】実施の形態に係る日付枠の描画変更をゲームに利用する他の例を説明する図である。
【発明を実施するための形態】
【００１２】
本発明の実施の形態のシステム（以下、「本システム」）について、図面を参照しながら説明する。
【００１３】
図１は、本システムの構成例を示すブロック図である。本システムは、インターネットＮを介して接続される、任意台数のユーザ端末１とサーバ２により構成される。
【００１４】
ユーザ端末１は本システムのユーザが利用する汎用的な情報処理装置である。ただし、本システムにおいて、ユーザ端末１は電子カレンダーの日付枠に描画することから請求項にいう「カレンダーレイアウトを利用した画像提示装置」に相当する。なお、ユーザ端末１は自ら画像を撮影などしてサーバ２にアップロードをする画像提供装置としての機能も有する。しかし、この明細書では、ユーザ端末１がもっぱら画像提示装置として動作するものとして説明する。
【００１５】
ユーザ端末１は、入出力部１１と記憶部１２と制御部１３を備えているならば、パソコンでも携帯端末でも何でもよい。同じユーザであっても自宅ではパソコンを、外出先では多機能携帯電話やタブレット端末などの携帯端末を使用するといったように使い分けてもよい。
また、画像データをサーバ２などの外部から入手するならば、通信インターフェース部１４も必要である。
【００１６】
ユーザ端末１がパソコンならば、入出力部１１には、キーボードやマウスなどの操作入力手段１１１と、液晶ディスプレイなどの画面出力手段１１２が含まれる。
ユーザ端末１が多機能携帯電話やタブレット端末などの場合も、入出力部１１は操作入力手段１１１と画面出力手段１１２からなるが、タッチパネルが操作入力手段１１１と画面出力手段１１２とを兼ねる。
【００１７】
記憶部１２と制御部１３は演算機能を有するＣＰＵ（Central Processing Unit）、作業用ＲＡＭ（Random Access Memory）、各種データ及びプログラムを記憶するＲＯＭ（Read Only Memory）などの内部メモリにより構成される。
【００１８】
記憶部１２は、プログラム記憶手段１２１と画像データ記憶手段１２２を備える。
プログラム記憶手段１２１は、カレンダーの日付枠に画像を描画するための各種処理コードを記述したプログラム、スケジュール管理のためのカレンダー機能を制御するプログラム、その他通信ネットワークを介してサーバ２などとデータの送受信を行うプログラムなどを格納する。
画像データ記憶手段１２２は、サーバ２から受信等した画像データを格納する。
他に記憶部１２は、中間処理結果や各種パラメータ類などを記憶するその他の記憶手段も備える。
【００１９】
制御部１３は、画像描画手段１３１と、描画変更指示手段１３２と、表示状態変更手段１３３と、データ送受信手段１３４を備える。
画像描画手段１３１は、画像データ記憶手段１２２に格納してある画像データを取り出し、カレンダーの日付枠内に取り出した画像を描画する。
描画変更指示手段１３２は、操作入力手段１１１を介したユーザの操作に従い或いは所定のシナリオに従い、画面出力手段１１２に表示されたカレンダー日付枠内の描画の変更指示をする。描画変更の指示は全部の日付枠内に限らず、一部の日付枠内の描画変更を指示することもある。
表示状態変更手段１３３は、操作入力手段１１１を介した操作により、全部或いは一部の日付枠内の表示を画像表示、スケジュール表示若しくは画像を背景としたスケジュール表示のいずれかを選択変更する。
データ送受信手段１３４は、通信回線を介して接続可能なサーバ２から画像データを取得する。
【００２０】
サーバ２は、請求項５の「画像管理装置」に相当し、画像提供装置として機能するユーザ端末１から受信した画像データをサーバ２に接続している記憶手段２１に格納する。
サーバ２に画像データを送信するユーザには、自社の広告宣伝用の画像を含むデータを送信する企業や、自分が撮影した写真を他者へ提供したいと希望する個人ユーザなどがいる。サーバ２は受信した画像データをそのまま保存し、ユーザ端末１からの要求により送信してもよいが、元の全体画像をいくつかの部分に分割し、シナリオも作成して、これらの部分に分割された分割画像とシナリオを一括して画像データとして保存してもよい。この点につき、次に詳しく説明する。
【００２１】
本システムはカレンダーの日付枠に画像を描画する点に特徴があるが、この画像データはサーバ２から取得することが想定されている。
サーバ２は、本システムに登録している法人や個人から、原画像データを受信し、カレンダーへの描画に適した形式に編集・加工する。
例えば、図２（ａ）に示すような画像を取得したとする。この原画像を、升目状に分割する。（ｂ）は原画像を１０×１０に分割し１００個の分割画像とした状態を示す。各分割画像を識別するために分割画像ＩＤを付与する。例えば分割画像ＩＤを（原画像のファイル名―行番号―列番号）と決めると、原画像のファイル名がｄｏｇであれば、左上の分割画像ＩＤは“ｄｏｇ―１−１”、右下の分割画像ＩＤは“ｄｏｇ−１０−１０”となる。
【００２２】
サーバ２は、アニメーション的な表示をさせるためにシナリオも作成する。
例えば、図２（ｂ）の矩形Ａ１内部を初期表示とし、１０秒間表示させた後、矩形Ａ２内部を表示させるとする。このときのシナリオは、図３のようになる。
カレンダーレイアウトの左上にはｄｏｇ−２−２を表示させ、１０秒経過後には左上には＋２行＋１列ずらしたｄｏｇ−４−３を表示させることを指示している。つまり、図２（ａ）で示されている全体画像の内の、（ｂ）で示された部分画像Ａ１、Ａ２が時間をおいて現れてくるわけである。
画像提示装置１は、サーバ２からｄｏｇ−１−１からｄｏｇ−１０−１０までの１００個の分割画像とシナリオを受信し、画像データ記憶手段１２２に格納する。
【００２３】
ユーザ端末１に表示したカレンダーの日付枠への分割画像表示について説明する。
図４に示すように画面出力手段１１２にカレンダーを表示させる。
「画像選択」ボタンＢ１をクリックすると、図５のようなメニュー画面が表示される。
画像データ記憶手段１２２に格納されているファイルの一覧が表示されるので、「子犬（ｄｏｇ）」を選択する。括弧内のｄｏｇは原画像ファイル名である。
描画変更指示手段１３２は、画像データ記憶手段１２２から該当するシナリオデータを読み出す（図３を参照）。
最初の表示はｄｏｇ−２−２が左上の日付枠に表示させることから、６月２日の日付枠にｄｏｇ−２−２を、６月２９日の日付枠にｄｏｇ−５−８を表示させることを画像描画手段１３１に指示する。
画像描画手段１３１は画像データ記憶手段１２２から２８個の分割画像を取り出して、対応する日付枠に分割画像を描画する。
描画された状態を図６（ａ）に示す。
なお、２０１３年６月の場合、７日間が連続しているのは２日から２９日までであり、この２日から２９日までの縦４行横７列の升目が描画のキャンバスとなる。はみ出している１日と３０日は描画しなくてもよいが、あらかじめ空白にするか否かは決めておくとよい。
【００２４】
描画変更指示手段１３２は、シナリオの次のステップを読み取り、１０秒後に、左上の日付枠にはｄｏｇ−４−３を描画するように画像描画手段１３１に指示する。変更後の状態を図６（ｂ）に示す。
このようなシナリオに沿って描画変更するとカレンダーの日付枠全体がアニメーションのキャンバスのように見せることができる。
【００２５】
本システムでは、シナリオ次第でさまざまな表示を工夫し楽しむことができる。
例えば、毎時００分になると特定の図柄が表示されるようにすると「からくり時計」ならぬ「からくりカレンダー」となる。時間帯によっては、キャラクターを変えてもよく、午後０時０分に表示される画像の背景には太陽が、午前０時０分に表示される画像の背景には月や星を背景に描くなど、さまざまな画像データを用意しておくとよい。
分割画像を全日付枠について一斉に変更してもよいが、一部の日付枠についてのみ変更してもよい。
日付枠内部への描画も図７（ａ）のように日付枠全体に描画するだけでなく、図７（ｂ）のように日付をあらわす文字を表示し、その余白に描画してもよい。
【００２６】
上記の描画変更はシナリオに従っていた。
しかし、ユーザの操作によって描画変更してもよい。たとえば、図６（ａ）に示す「次へ」ボタンＢ２をクリックすることで、次の画像に遷移する。この場合は、乱数を発生させて、横と縦の各方向への移動量を決めるとよい。もしｄｏｇ−１−１が左上に描画されている状態で、横に３、縦に１だけ移動するときは左上にＩＤ＝（ｄｏｇ−２−４）の分割画像が描画される。直前の画像に戻るときは図６（ｂ）に示す「戻る」ボタンＢ３をクリックする。シナリオがあり、且つユーザの操作による描画指示があるときは、いずれを優先させるかは予め決めておくとよい。
あるいは、カレンダー枠の余白部分を指でなぞるような操作（パソコンの場合はマウスをドラッグする操作）をすることで、描画像をスクロールしてもよい。
【００２７】
上記の実施形態では、カレンダーの日付枠を描画のための背景部分としてのみ利用していた。しかし、本来のスケジュール機能としても用いることできるのは当然である。
この実施形態では、ユーザの操作指示によって、画像描画、あるいはスケジュール表示のいずれかを選択できる。
図８（ａ）では日付枠に画像が描かれている。「状態変更」ボタンＢ４をクリックすると（ｂ）のようにスケジュール表示に変化する。この状態で、「状態変更」ボタンＢ４をクリックすると再び（ａ）の画像表示状態に戻る。
画像表示状態とスケジュール表示状態のほかに、スケジュール表示の背景に画像を描画する状態を加え、この３状態のいずれかを選択できるようにしてもよい。現在の表示状態は記憶部１２に保存しておく。
【００２８】
特定の日付の表示状態のみを変更することもできる。図９（ａ）の斜線を付した日付枠をクリックすると図９（ｂ）のようにその日付のスケジュールだけが表示される。
【００２９】
本発明は、カレンダーの日付枠を画像表示の背景とする点に特徴があり、広告宣伝や娯楽などさまざまな方面に活用の余地があり、日付枠が升目状に並んでいることからゲームにも利用できる。
例えば、図１０では黒の矩形と白の矩形のいずれかが描かれている。シナリオに従って、或いは乱数を発生させて、或いは右下のボタンＢ５をユーザが操作することによって、他の日付枠に黒の矩形を移動させ、テトリスのような落下型のゲームとすることもできる。
図１１のような遊び方もある。（ａ）のような初期画面から始まって、（ｂ）のように画面が刻々と変化していく。めまぐるしく表示が変化する途中で最終的な画像（例えば熊の画像）が何を表すのかがわかったなら右下のＳＴＯＰボタンＢ６をクリックする。仲間内の飲み会などの余興として、誰が早く何の画像であるかを当てることができるか競っても楽しい。
【産業上の利用可能性】
【００３０】
遊びの要素のある楽しいカレンダーとして、あるいは広告宣伝の用途にも利用できるカレンダーとして、幅広いユーザに支持されると期待される。
【符号の説明】
【００３１】
１：ユーザ端末（＝画像提示装置）
１１：入出力部
１１１：操作入力手段
１１２：画面出力手段
１２：記憶部
１２１：プログラム記憶手段
１２２：画像データ記憶手段
１３：制御部
１３１：画像描画手段
１３２：描画変更指示手段
１３３：表示状態変更手段
１３４：データ送受信手段
１４：通信インターフェース部
２：サーバ
２１：記憶手段
Ｎ：インターネット
【図１】
2015001767.tif 000003
【図２】
2015001767.tif 000004
【図３】
2015001767.tif 000005
【図４】
2015001767.tif 000006
【図５】
2015001767.tif 000007
【図６】
2015001767.tif 000008
【図７】
2015001767.tif 000009
【図８】
2015001767.tif 000010
【図９】
2015001767.tif 000011
【図１０】
2015001767.tif 000012
【図１１】
2015001767.tif 000013